(57)【要約】【課題】複数の機種を同一の回路基板で構成することができる電子制御ユニットを提供する。【解決手段】回路基板４０は、複数の機種に対応可能なプログラムを記憶したＭＰＵ１と、ＭＰＵ１に抵抗５を介して接続されるプルアップ用スルーホール４１ａ及びプルダウン用スルーホール４１ｂを備える。積層バスバー３０は、電源が導かれると共にプルアップ用スルーホール４１ａに対応する電源端子３１ａと、グラウンドが導かれると共にプルダウン用スルーホール４１ｂに対応するグラウンド端子３１ｂを備える。電源端子３１ａ又はグラウンド端子３１ｂのいずれかが短くされた状態で積層バスバー３０と回路基板４０が連結された場合、短くされた端子は該端子が対応するスルーホールに接触せず、短くされない端子は該端子に対応するスルーホールに接続される。そして、いずれの端子が短くされるかに応じた機種信号がＭＰＵ１へ入力され機種が設定される。【選択図】　図３
2004103301.tif 000002
【特許請求の範囲】
【請求項１】
複数の機種に対応可能なプログラムを有する回路基板を備え、この回路基板との間で信号の入出力の少なくとも一方を行う外部接続基板が取り付けられて、機種に対応したプログラムを実行する電子制御ユニットにおいて、前記外部接続基板は、前記回路基板に構造的に連結されることで該回路基板と電気的な接続を行う、機種識別用電源が導かれた接続端子部を備え、この接続端子部は、前記連結状態で、前記回路基板と構造的に接触する形状の端子と構造的に非接触の形状の端子との少なくも一方の端子を有してなり、前記回路基板は、前記接続端子部を介しての機種判別用電源の入力状態から機種の判別を行う制御回路部と、前記接続端子部と制御回路部とを電気的に導通するための配線パターンとを有してなることを特徴とする電子制御ユニット。
【請求項２】
前記接触する形状の端子は、前記連結状態で、前記外部接続基板から前記回路基板へ達する所定の長さの接続端子であり、前記非接触の形状の端子は、前記所定の長さより短い接続端子であることを特徴とする請求項１記載の電子制御ユニット。
【請求項３】
前記接続端子部は、前記機種識別用電源の正極側が導かれた機種電源端子と、前記機種識別用電源の負極側が導かれた機種グラウンド端子とを備え、前記機種に応じて前記機種電源端子及び前記機種グラウンド端子のいずれか一方が前記接触する形状の端子とされ、他方が前記非接触の形状の端子とされることを特徴とする請求項１又は２に記載の電子制御ユニット。
【請求項４】
前記接続端子部は、前記機種識別用電源の負極側が導かれた機種グラウンド端子を備え、前記機種グラウンド端子は、前記機種に応じて前記接触する形状及び前記非接触の形状のいずれかの形状の端子とされるものであり、前記回路基板は、該回路基板の電源を導く電源パターンと前記配線パターンとを接続するプルアップ用抵抗を備えることを特徴とする請求項１〜３のいずれかに記載の電子制御ユニット。
【請求項５】
前記接続端子部は、前記機種識別用電源の正極側が導かれた機種電源端子を備え、前記機種電源端子は、前記機種に応じて前記接触する形状及び前記非接触の形状のいずれかの形状の端子とされるものであり、前記回路基板は、該回路基板のグラウンドを導くグラウンドパターンと前記配線パターンとを接続するプルダウン用抵抗を備えることを特徴とする請求項１〜３のいずれかに記載の電子制御ユニット。
【請求項６】
複数の機種に対応可能なプログラムを有する回路基板を備え、この回路基板との間で信号の入出力の少なくとも一方を行う外部接続基板が取り付けられて、機種に対応したプログラムを実行する電子制御ユニットにおいて、前記外部接続基板は、前記回路基板に構造的に連結されることで該回路基板と電気的な接続を行う、機種識別用電源が導かれた接続端子部を備え、前記回路基板は、前記機種識別用電源が導かれた所定の端子と接続可能にされた接続受部と、前記接続受部を介しての機種判別用電源の入力状態から機種の判別を行う制御回路部と、前記接続受部と制御回路部とを電気的に導通するための配線パターンとを有し、前記接続端子部は、前記所定の端子のうち少なくとも１つを備える場合と備えない場合とに応じて、前記機種判別用電源の入力状態を生じさせることを特徴とする電子制御ユニット。
【発明の詳細な説明】
【０００１】
【発明の属する技術分野】
本発明は、複数の機種を同一の回路基板で構成することができる電子制御ユニットに関するものである。
【０００２】
【従来の技術】
従来、複数の機種が存在する電子制御ユニットを製造する場合に、複数の機種に対応可能なプリント配線基板を用いて、機種毎に実行するソフトウェアを切り換えることにより複数機種に対応させるようにしている。これにより、部品が共通化され、製造ラインの段取り変えが容易になる結果、部品のコストダウンや生産性の向上を図り、あるいは多品種少量生産を容易に実現することが可能になっている。このように、ソフトウェアの切換えで複数の機種に対応させる場合、プリント配線基板上に予め各機種に対応したプログラムを記憶したＲＯＭ（Ｒｅａｄ　Ｏｎｌｙ　Ｍｅｍｏｌｙ）等の記憶素子と、ＭＰＵ（Ｍｉｃｒｏ　Ｐｒｏｃｅｓｓｉｎｇ　Ｕｎｉｔ）と、機種を設定するための回路とを備えた回路基板を製造し、設定された機種に対応したプログラムをＭＰＵが実行することで、機種切換えが行われる。
【０００３】
このような回路基板に機種を設定するための構造としては、図９に示すように、回路基板のプリント配線基板上に、ＭＰＵ１のポート１ａに接続される機種信号用の信号配線パターン２、電源に接続される電源パターン３、グラウンドに接続されるグラウンドパターン４、信号配線パターン２と電源パターン３との間にプルアップ用抵抗を実装するためのプルアップ抵抗用ランド１０１及び信号配線パターン２とグラウンドパターン４との間にプルダウン用抵抗を実装するためのプルダウン抵抗用ランド１０２を備え、例えば、機種Ａの回路基板を製造する場合には、プルアップ抵抗用ランド１０１にのみ抵抗を実装し、機種Ｂの回路基板を製造する場合には、プルダウン抵抗用ランド１０２にのみ抵抗を実装する方法が用いられている。
【０００４】
これにより、プルアップ抵抗用ランド１０１にのみ抵抗を実装した回路基板では電源に接続することによりＭＰＵ１のポート１ａにＨｉレベルの機種信号が入力され、プルダウン抵抗用ランド１０２にのみ抵抗を実装した回路基板ではＭＰＵ１のポート１ａにＬｏｗレベルの機種信号が入力されるので、ＭＰＵ１はポート１ａに入力された機種信号のレベルに応じて、それぞれ機種Ａ、機種Ｂに対応するプログラムを実行し、機種設定用抵抗の実装状態以外を共通化した回路基板を用いて機種を切り換えることが可能になっている。
【０００５】
【発明が解決しようとする課題】
しかし、図９に示す従来の機種設定用パターンを用いた場合、抵抗の実装の有無によって機種を設定するため、機種ごとに抵抗の実装の有無が異なる回路基板となるので、同一の回路基板を用いて各機種に対応することができない。そのため、機種に応じて回路基板に抵抗を実装する部品実装工程で部品実装機の制御データを変更する等、機種毎に回路基板の製造工程を管理する必要がある。また、回路基板毎に機種が決定されるので、回路基板単位で機種毎の在庫管理をする必要がある。そのため、回路基板の製造時及び回路基板の在庫管理時に、機種管理を行うための管理コストが必要になるという不都合がある。
【０００６】
本発明は上記事情に鑑みてなされたもので、複数の機種を同一の回路基板で構成することができる電子制御ユニットを提供することを目的とする。
【０００７】
【課題を解決するための手段】
請求項１に記載の発明は、複数の機種に対応可能なプログラムを有する回路基板を備え、この回路基板との間で信号の入出力の少なくとも一方を行う外部接続基板が取り付けられて、機種に対応したプログラムを実行する電子制御ユニットにおいて、前記外部接続基板は、前記回路基板に構造的に連結されることで該回路基板と電気的な接続を行う、機種識別用電源が導かれた接続端子部を備え、この接続端子部は、前記連結状態で、前記回路基板と構造的に接触する形状の端子と構造的に非接触の形状の端子との少なくも一方の端子を有してなり、前記回路基板は、前記接続端子部を介しての機種判別用電源の入力状態から機種の判別を行う制御回路部と、前記接続端子部と制御回路部とを電気的に導通するための配線パターンとを有してなることを特徴としている。
【０００８】
請求項１に記載の発明によれば、前記外部接続基板と構造的に連結された場合に、複数の機種に対応可能なプログラムを有する回路基板が、前記回路基板と構造的に接触する形状の端子と構造的に非接触の形状の端子との少なくも一方の端子を有する接続端子部によって前記外部接続基板と電気的に接続され、該接続端子部に機種識別用電源が導かれ、該接続端子部の前記接触する形状の端子に導かれた前記機種識別用電源が前記配線パターンによって前記制御回路部に導かれ、該機種判別用電源の入力状態から機種が判別される。この場合、前記回路基板と前記外部接続基板とが連結されたとき、前記機種識別用電源が導かれた前記接続端子部の接続端子が、接触する形状の端子又は非接触の形状の端子のいずれの端子であるかに応じて、前記機種が設定される。
【０００９】
請求項２に記載の発明は、請求項１記載の電子制御ユニットにおいて、前記接触する形状の端子は、前記連結状態で、前記外部接続基板から前記回路基板へ達する所定の長さの接続端子であり、前記非接触の形状の端子は、前記所定の長さより短い接続端子であることを特徴としている。請求項２に記載の発明によれば、前記接触する形状の端子は、前記連結状態で、前記外部接続基板から前記回路基板へ達する所定の長さにされ、前記非接触の形状の端子は、前記所定の長さより短くされる。
【００１０】
請求項３に記載の発明は、請求項１又は２に記載の電子制御ユニットにおいて、前記接続端子部は、前記機種識別用電源の正極側が導かれた機種電源端子と、前記機種識別用電源の負極側が導かれた機種グラウンド端子とを備え、前記機種に応じて前記機種電源端子又は前記機種グラウンド端子のいずれか一方が前記接触する形状の端子とされ、他方が前記非接触の形状の端子とされることを特徴としている。請求項３に記載の発明によれば、前記機種電源端子には前記機種識別用電源の正極側が導かれ、前記機種グラウンド端子には前記機種識別用電源の負極側が導かれ、前記機種に応じて、前記機種電源端子又は前記機種グラウンド端子のいずれか一方が前記接触する形状の端子とされ、他方が前記非接触の形状の端子とされる。この場合、前記回路基板と前記外部接続基板とが連結されたとき、前記機種電源端子又は前記機種グラウンド端子のいずれの端子が前記接触する形状の端子であるかに応じて前記機種識別用電源の正極側又は前記機種識別用電源の負極側のいずれか一方が前記制御回路部に入力され、前記機種が設定される。
【００１１】
請求項４に記載の発明は、請求項１〜３のいずれかに記載の電子制御ユニットにおいて、前記接続端子部は、前記機種識別用電源の負極側が導かれた機種グラウンド端子を備え、前記機種グラウンド端子は、前記機種に応じて前記接触する形状又は前記非接触の形状のいずれかの形状の端子とされるものであり、前記回路基板は、該回路基板の電源を導く電源パターンと前記配線パターンとを接続するプルアップ用抵抗を備えることを特徴としている。請求項４に記載の発明によれば、前記機種グラウンド端子には前記機種識別用電源の負極側が導かれ、前記回路基板と前記外部接続基板とが連結されたとき、前記機種グラウンド端子が前記接触する形状の端子とされた場合には、前記機種識別用電源の負極側が前記配線パターンを介して前記制御回路部に導かれ、前記機種グラウンド端子が前記非接触の形状の端子とされた場合には、前記電源パターンから導かれる電源が前記プルアップ用抵抗と前記配線パターンを介して前記制御回路部に導かれるので、前記回路基板と前記外部接続基板とが連結されたとき、前記機種グラウンド端子が前記接触する形状又は前記非接触の形状のいずれかの形状の端子であるかに応じて前記機種が設定される。
【００１２】
請求項５に記載の発明は、請求項１〜３のいずれかに記載の電子制御ユニットにおいて、前記接続端子部は、前記機種識別用電源の正極側が導かれた機種電源端子を備え、前記機種電源端子は、前記機種に応じて前記接触する形状又は前記非接触の形状のいずれかの形状の端子とされるものであり、前記回路基板は、該回路基板のグラウンドを導くグラウンドパターンと前記配線パターンとを接続するプルダウン用抵抗を備えることを特徴としている。請求項５に記載の発明によれば、前記機種電源端子には前記機種識別用電源の正極側が導かれ、前記回路基板と前記外部接続基板とが連結されたとき、前記機種電源端子が前記接触する形状の端子とされた場合には、前記機種識別用電源の正極側が前記配線パターンを介して前記制御回路部に導かれ、前記機種電源端子が前記非接触の形状の端子とされた場合には、前記グラウンドパターンから導かれるグラウンドが前記プルダウン用抵抗と前記配線パターンを介して前記制御回路部に導かれるので、前記回路基板と前記外部接続基板とが連結されたとき、前記機種電源端子が前記接触する形状又は前記非接触の形状のいずれかの形状の端子であるかに応じて前記機種が設定される。
【００１３】
請求項６に記載の発明は、複数の機種に対応可能なプログラムを有する回路基板を備え、この回路基板との間で信号の入出力の少なくとも一方を行う外部接続基板が取り付けられて、機種に対応したプログラムを実行する電子制御ユニットにおいて、前記外部接続基板は、前記回路基板に構造的に連結されることで該回路基板と電気的な接続を行う、機種識別用電源が導かれた接続端子部を備え、前記回路基板は、前記機種識別用電源が導かれた所定の端子と接続可能にされた接続受部と、前記接続受部を介しての機種判別用電源の入力状態から機種の判別を行う制御回路部と、前記接続受部と制御回路部とを電気的に導通するための配線パターンとを有し、前記接続端子部は、前記所定の端子のうち少なくとも１つを備える場合と備えない場合とに応じて、前記機種判別用電源の入力状態を生じさせることを特徴としている。請求項６に記載の発明によれば、前記外部接続基板には、前記機種識別用電源が導かれた接続端子部が設けられる。また、前記回路基板には、前記機種識別用電源が導かれた所定の端子と接続可能にされた接続受部と、前記接続受部を介しての機種判別用電源の入力状態から機種の判別を行う制御回路部とが設けられる。そして、前記回路基板と前記外部接続基板とが連結されたとき、前記接続端子部が前記所定の端子のうち少なくとも１つを備える場合には、該備える所定の端子に導かれた前記機種識別用電源が前記接続受部と前記配線パターンとを介して前記制御回路部に入力され、前記接続端子部が前記所定の端子のうち少なくとも１つを備えない場合には、該備えない所定の端子に導かれた前記機種識別用電源は、前記接続受部に導かれることがないので、前記制御回路部に入力されない。そして、前記制御回路部に入力された機種判別用電源の入力状態に応じて、前記制御回路部により、機種が判別されると共に該当する機種に対応したプログラムが実行される。この場合、前記回路基板と前記外部接続基板とが連結されたとき、前記接続端子部が、前記所定の端子のうち少なくとも１つを備える場合と備えない場合とに応じて前記機種が設定される。
【００１４】
【発明の実施の形態】
以下、本発明に係る実施形態を図面に基づいて説明する。なお、各図において同一の構成については、同一の符号を付し、その説明を省略する。
【００１５】
（第１実施形態の構成）
図１は、本発明の第１の実施形態に係る電子制御ユニットの構造の一例を示す分解斜視図である。図１の電子制御ユニットは、制御対象機器として例えば車載機器の制御を行う車載用電子制御ユニットであり、例えばパワーウィンド及びキーレスエントリー等の車載機器の制御を行う機種Ａと、室内灯及びキー忘れ警報ブザー等の車載機器の制御を行う機種Ｂとに切換え可能に構成され、ジャンクションブロック（電気接続箱）に収納されて車両に搭載される。なお、本発明に係る電子制御ユニットは、ヒューズボックス等に収納されるものであってもよく、また、車載機器の制御に用いられるものに限らず他の電気機器の制御を行うものであってもよい。
【００１６】
ジャンクションブロックは、アッパーケース２０とロアケース１０との間に積層バスバー３０等の配線材が収納された構造である。その上に、電子制御ユニットを構成する回路基板４０が搭載されると共に積層バスバー３０と連結され、さらに回路基板４０上にはケース部５０が搭載される。そして、回路基板４０と積層バスバー３０との接続のために、電子制御ユニットに必要な信号用の接続端子としての雄型端子（タブ端子）３１が積層バスバー３０上に起立している。また、回路基板４０は、タブ端子３１が貫通する貫通穴と、その貫通穴の周囲に設けられたランドとからなるスルーホール４１を備える。
【００１７】
そして、タブ端子３１がスルーホール４１に挿入されて半田付けされることにより、回路基板４０と積層バスバー３０との間での導通がとられている。また、積層バスバー３０は、回路基板４０からスルーホール４１とタブ端子３１とを介して得られた制御信号を、車載用機器の制御信号ケーブルに接続するためのコネクタ端子３２を備える。
【００１８】
図２は、タブ端子３１とスルーホール４１との詳細の一例を説明する図である。タブ端子３１は、電源を導く電源端子３１ａ及び電源端子３１ｃ、グラウンドを導くグラウンド端子３１ｂ及びグラウンド端子３１ｄ、車載用機器を制御する制御信号を伝達するための制御端子３１ｅを含む。電源端子３１ａ及びグラウンド端子３１ｂは機種設定のために用いられ、電源端子３１ｃ及びグラウンド端子３１ｄは回路基板４０の動作用電源を導くために用いられる。
【００１９】
スルーホール４１には、電源端子３１ａ、グラウンド端子３１ｂ、電源端子３１ｃ、グラウンド端子３１ｄ及び制御端子３１ｅがそれぞれ挿入されると共に半田付けにより電気的に接続されるプルアップ用スルーホール４１ａ、プルダウン用スルーホール４１ｂ、電源用スルーホール４１ｃ、グラウンド用スルーホール４１ｄ及び制御信号用スルーホール４１ｅを含む。
【００２０】
図２の例では、グラウンド端子３１ｂは、切断等されて短寸法とされ、ジャンクションブロックに回路基板４０を搭載しても、回路基板４０まで届かない長さにされている。そのため、回路基板４０と積層バスバー３０との連結状態で、プルダウン用スルーホール４１ｂはグラウンド端子３１ｂと接続されない状態に保たれる。なお、グラウンド端子３１ｂの換わりに電源端子３１ａが切断等されて短寸法にされた場合は、プルアップ用スルーホール４１ａが電源端子３１ａと接続されない状態に保たれる。
【００２１】
図３は、回路基板４０の配線パターン及び部品の実装状態の一例を説明するための図である。図３に示す回路基板４０は、ＭＰＵ１、信号配線パターン２、プルアップ用スルーホール４１ａ、プルダウン用スルーホール４１ｂ、制御信号用スルーホール４１ｅ及び抵抗５を備える。
【００２２】
ＭＰＵ１としては、例えばＲＯＭ、ＲＡＭ（Ｒａｎｄｏｍ　Ａｃｃｅｓｓ　Ｍｅｍｏｒｙ）、及び信号入出力ポートを素子内部に内蔵したシングルチップマイクロコンピュータが用いられる。ＭＰＵ１に内蔵されたＲＯＭには、機種Ａとして動作するためのプログラムＡ、機種Ｂとして動作するためのプログラムＢ、及びプログラムＡとプログラムＢを切り換える機種切換えプログラムが記憶される。
【００２３】
ＭＰＵ１は、機種信号入力用のポート１ａと、前記車載機器を制御するための信号出力用ポート１ｂとを備える。ポート１ａは、ノイズ対策用抵抗５、信号配線パターン２を介してプルアップ用スルーホール４１ａ及びプルダウン用スルーホール４１ｂに接続される。なお、ポート１ａは、抵抗５を介さず直接信号配線パターン２に接続される構成であってもよい。ポート１ｂは、制御信号用スルーホール４１ｅ、制御端子３１ｅ、積層バスバー３０及びコネクタ端子３２等を介して前記車載機器に接続され、ＭＰＵ１から前記車載機器の動作を制御するための信号を出力する。また、ＭＰＵ１の動作用電源は、電源端子３１ｃ及び電源用スルーホール４１ｃを介して供給され、ＭＰＵ１の動作用グラウンドは、グラウンド用スルーホール４１ｄ及びグラウンド端子３１ｄを介して供給される。
【００２４】
図４は、回路基板４０がアッパーケース２０（図示せず）に搭載されて積層バスバー３０と連結され、電源端子３１ａとプルアップ用スルーホール４１ａとが接続された状態を示す部分断面図（図２のＸ部Ｙ断面）である。図４に示す回路基板４０では、回路基板４０を貫通してプルアップ用スルーホール４１ａ及びプルダウン用スルーホール４１ｂが設けられると共に、回路基板４０の基材部６の上部に設けられた信号配線パターン２と、プルアップ用スルーホール４１ａ及びプルダウン用スルーホール４１ｂのランド部分とが接続されている。また、信号配線パターン２の表面にはレジスト（絶縁被覆）７が設けられている。
【００２５】
積層バスバー３０上には、電源端子３１ａとグラウンド端子３１ｂとが起立状態に形成されると共に、電源端子３１ａは電源を供給する電源パターン（図示せず）と接続され、グラウンド端子３１ｂはグラウンドを供給するグラウンドパターン（図示せず）と接続されている。
【００２６】
電源端子３１ａは、回路基板４０のプルアップ用スルーホール４１ａを貫通して向こう側で、半田４２によってプルアップ用スルーホール４１ａのランド部分に半田付けされて、当該ランド部分を介して信号配線パターン２と接続されている。グラウンド端子３１ｂは、切断等されて短寸法とされており、回路基板４０に届かず、従って信号配線パターン２と接続されない。また、電源端子３１ｃ、グラウンド端子３１ｄ及び制御端子３１ｅは、電源端子３１ａと同様にしてそれぞれ電源用スルーホール４１ｃ、グラウンド用スルーホール４１ｄ及び制御信号用スルーホール４１ｅと接続される。
【００２７】
図５は、図４に示すグラウンド端子３１ｂが短寸法にされると共にプルダウン用スルーホール４１ｂと接続されない状態で、電源端子３１ａとプルアップ用スルーホール４１ａとが接続された場合の回路図である。この場合、ポート１ａは、抵抗５、プルアップ用スルーホール４１ａ及び電源端子３１ａを介して積層バスバー３０から導かれる電源に接続され、ポート１ａにはＨｉレベルの信号が機種信号として入力される。一方、電源端子３１ａが短寸法とされると共にプルアップ用スルーホール４１ａと接続されない状態にされ、グラウンド端子３１ｂとプルダウン用スルーホール４１ｂとが接続された場合には、ポート１ａは、抵抗５、プルダウン用スルーホール４１ｂ及びグラウンド端子３１ｂを介して積層バスバー３０から導かれるグラウンドに接続され、ポート１ａにはＬｏｗレベルの信号が機種信号として入力される。
【００２８】
（第１実施形態の動作）
図６は、本発明の第１の実施形態に係る電子制御ユニットの動作を示すフローチャートである。
【００２９】
まず、ＭＰＵ１により、ポート１ａに取り込まれた識別信号の電圧レベルが確認され（ステップＳ１）、識別信号がＨｉレベルであった場合（ステップＳ２）にはプログラムＡが実行され（ステップＳ３）、他方識別信号がＬｏｗレベルであった場合（ステップＳ２）にはプログラムＢが実行される（ステップＳ４）。
【００３０】
以上、ステップＳ１〜Ｓ４の動作により、グラウンド端子３１ｂが短寸法にされ、電源端子３１ａとプルアップ用スルーホール４１ａとが接続された場合には、ポート１ａにＨｉレベルの信号が機種信号として取り込まれてＭＰＵ１によりプログラムＡが実行される結果、電子制御ユニットの機種は機種Ａに設定される。一方、電源端子３１ａが短寸法とされ、グラウンド端子３１ｂとプルダウン用スルーホール４１ｂとが接続された場合には、ポート１ａにＬｏｗレベルの信号が機種信号として取り込まれてＭＰＵ１によりプログラムＢが実行される結果、電子制御ユニットの機種は機種Ｂに設定される。
【００３１】
これにより、電子制御ユニットの機種に関わらず同一の回路基板４０を用いることができる。そして、機種Ａの電子制御ユニットを組み立てる場合には、回路基板４０をジャンクションブロックに搭載する際に、グラウンド端子３１ｂを切断等して短寸法とし、回路基板４０と積層バスバー３０とを連結し、電源端子３１ａとプルアップ用スルーホール４１ａとを半田付けして接続することにより、回路基板４０は、機種Ａとして機能する。一方、機種Ｂの電子制御ユニットを組み立てる場合には、回路基板４０をジャンクションブロックに搭載する際に、電源端子３１ａを切断等して短寸法とし、回路基板４０と積層バスバー３０とを連結し、グラウンド端子３１ｂとプルダウン用スルーホール４１ｂとを半田付けして接続することにより、回路基板４０は、機種Ｂとして機能する。
【００３２】
なお、電源端子３１ａ、グラウンド端子３１ｂを切断することによって端子形状を短寸法とし、それぞれプルアップ用スルーホール４１ａ、プルダウン用スルーホール４１ｂに接触しない形状にする例を示したが、電源端子３１ａ、グラウンド端子３１ｂを折り曲げる等の加工をすることによって、それぞれプルアップ用スルーホール４１ａ、プルダウン用スルーホール４１ｂに接触しない形状にしてもよい。
【００３３】
また、電源端子３１ａ又はグラウンド端子３１ｂを、積層バスバー３０から除去する、あるいは最初から設けない等の構成により、電源端子３１ａとプルアップ用スルーホール４１ａとが接続されない状態又はグラウンド端子３１ｂとプルダウン用スルーホール４１ｂとが接続されない状態とし、この接続状態に応じて機種信号がＭＰＵ１へ入力される構成としてもよい。
【００３４】
また、回路基板４０は、スルーホール４１を備え、タブ端子３１がスルーホール４１に半田付けによって接続される例を示したが、回路基板４０は、雌のコネクタを備え、該コネクタにタブ端子３１が挿入されて接続される構成としてもよい。
【００３５】
また、機種Ａ、機種Ｂに対応してそれぞれプログラムＡ、プログラムＢがＭＰＵ１により実行される例を示したが、複数の機種に対応可能な単一のプログラムがＭＰＵ１により実行され、機種信号に応じて各機種に応じた動作を行なう構成であってもよい。
【００３６】
また、１つの機種信号がＨｉレベルであるかＬｏｗレベルであるかによって、２種類の機種が設定される構成を示したが、複数の機種信号を用いて各機種信号毎に、信号配線パターン２、プルアップ用スルーホール４１ａ、プルダウン用スルーホール４１ｂ、電源端子３１ａ、グラウンド端子３１ｂ等を備えて各機種信号の信号レベルを設定可能にし、ＭＰＵ１は、各機種信号を取り込んで各機種信号の組み合わせによって機種を特定し、当該特定した３種類以上の機種を設定可能な構成としてもよい。
【００３７】
（第２実施形態の構成）
図７は、本発明の第２の実施形態に係る電子制御ユニットの回路構成を説明するための回路図である。第２実施形態に係る回路基板４０は、プルアップ用スルーホール４１ａを備えず電源パターン４３を介して電源に接続されるプルアップ抵抗８を備え、また、積層バスバー３０は、電源端子３１ａを備えない点で、第１実施形態と異なる。
【００３８】
図７の回路図は、グラウンド端子３１ｂが切断等されて短寸法にされ、プルダウン用スルーホール４１ｂに接続されない場合を示す回路図である。ＭＰＵ１のポート１ａは、抵抗５、プルアップ抵抗８及び電源パターン４３を介して電源と接続され、ポート１ａにはＨｉレベルの信号が機種信号として入力される。一方、グラウンド端子３１ｂが短寸法にされず、プルダウン用スルーホール４１ｂに接続された場合は、ポート１ａは、抵抗５、プルダウン用スルーホール４１ｂ及びグラウンド端子３１ｂを介してグラウンドと接続され、ポート１ａにはＬｏｗレベルの信号が機種信号として入力される。
【００３９】
（第２実施形態の動作）
第２実施形態では、図６のフローチャートにおいて、ステップＳ１〜Ｓ４の動作により、グラウンド端子３１ｂが切断等されて短寸法にされ、プルダウン用スルーホール４１ｂに接続されない場合には、ポート１ａにＨｉレベルの信号が機種信号として取り込まれてＭＰＵ１によりプログラムＡが実行される結果、電子制御ユニットの機種は機種Ａに設定される。一方、グラウンド端子３１ｂが短寸法にされず、プルダウン用スルーホール４１ｂに接続された場合には、ポート１ａにＬｏｗレベルの信号が機種信号として取り込まれてＭＰＵ１によりプログラムＢが実行される結果、電子制御ユニットの機種は機種Ｂに設定される。
【００４０】
これにより、電子制御ユニットの機種に関わらず同一の回路基板４０を用いることができる。そして、機種Ａの電子制御ユニットを組み立てる場合には、回路基板４０をジャンクションブロックに搭載する際に、グラウンド端子３１ｂを切断等して短寸法とし、回路基板４０と積層バスバー３０とを連結することにより、回路基板４０は、機種Ａとして機能する。一方、機種Ｂの電子制御ユニットを組み立てる場合には、回路基板４０をジャンクションブロックに搭載する際に、回路基板４０と積層バスバー３０とを連結し、グラウンド端子３１ｂとプルダウン用スルーホール４１ｂとを半田付けして接続することにより、回路基板４０は、機種Ｂとして機能する。
【００４１】
（第３実施形態の構成）
図８は、本発明の第３の実施形態に係る電子制御ユニットの構成を説明するための回路図である。第３実施形態に係る回路基板４０は、プルダウン用スルーホール４１ｂを備えずプルダウン抵抗９を備え、また、積層バスバー３０は、グラウンド端子３１ｂを備えない点で、第１実施形態と異なる。
【００４２】
図８の回路図は、電源端子３１ａが切断等されて短寸法にされ、プルアップ用スルーホール４１ａに接続されない場合を示す回路図である。ＭＰＵ１のポート１ａは、抵抗５とプルアップ抵抗９とを介してグラウンドと接続され、ポート１ａにはＬｏｗレベルの信号が機種信号として入力される。一方、電源端子３１ａが短寸法にされず、プルアップ用スルーホール４１ａに接続された場合は、ポート１ａは、抵抗５、プルアップ用スルーホール４１ａ及び電源端子３１ａを介して電源と接続され、ポート１ａにはＨｉレベルの信号が機種信号として入力される。
【００４３】
（第３実施形態の動作）
第３実施形態では、図６のフローチャートにおいて、ステップＳ１〜Ｓ４の動作により、電源端子３１ａが切断等されて短寸法とされ、プルアップ用スルーホール４１ａに接続されない場合には、ポート１ａにＬｏｗレベルの信号が機種信号として取り込まれてＭＰＵ１によりプログラムＢが実行される結果、電子制御ユニットの機種は機種Ｂに設定される。一方、電源端子３１ａが短寸法とされず、プルアップ用スルーホール４１ａに接続された場合には、ポート１ａにＨｉレベルの信号が機種信号として取り込まれてＭＰＵ１によりプログラムＡが実行される結果、電子制御ユニットの機種は機種Ａに設定される。
【００４４】
これにより、電子制御ユニットの機種に関わらず同一の回路基板４０を用いることができる。そして、機種Ａの電子制御ユニットを組み立てる場合には、回路基板４０をジャンクションブロックに搭載する際に、回路基板４０と積層バスバー３０とを連結し、電源端子３１ａとプルアップ用スルーホール４１ａとを半田付けして接続することにより、回路基板４０は、機種Ａとして機能する。一方、機種Ｂの電子制御ユニットを組み立てる場合には、回路基板４０をジャンクションブロックに搭載する際に、電源端子３１ａを切断等して短寸法とし、回路基板４０と積層バスバー３０とを連結することにより、回路基板４０は、機種Ｂとして機能する。
【００４５】
【発明の効果】
請求項１に記載の発明によれば、前記回路基板と前記外部接続基板とが連結されたとき、前記機種識別用電源が導かれた前記接続端子部の接続端子が、接触する形状の端子又は非接触の形状の端子のいずれの端子であるかに応じて、前記機種が設定されるので、複数の機種を同一の回路基板で構成することができる。
【００４６】
請求項２に記載の発明によれば、前記機種識別用電源が導かれた前記接続端子部の接続端子の長さに応じて前記機種が設定される。
【００４７】
請求項３に記載の発明によれば、前記回路基板と前記外部接続基板とが連結されたとき、前記機種電源端子又は前記機種グラウンド端子のいずれの端子が前記接触する形状の端子であるかに応じて前記機種が設定される。
【００４８】
請求項４に記載の発明によれば、前記回路基板と前記外部接続基板とが連結されたとき、前記機種グラウンド端子が前記接触する形状又は前記非接触の形状のいずれかの形状の端子であるかに応じて前記機種が設定される。
【００４９】
請求項５に記載の発明によれば、前記回路基板と前記外部接続基板とが連結されたとき、前記機種電源端子が前記接触する形状又は前記非接触の形状のいずれかの形状の端子であるかに応じて前記機種が設定される。
【００５０】
請求項６に記載の発明によれば、前記回路基板と前記外部接続基板とが連結されたとき、前記接続端子部が、前記所定の端子のうち少なくとも１つを備える場合と備えない場合とに応じて前記機種が設定される。
【図面の簡単な説明】
【図１】本発明の一実施形態に係る電子制御ユニットの構造を示す図である。
【図２】本発明の一実施形態に係るタブ端子３１部分とスルーホール４１部分との詳細を説明するための図である。
【図３】本発明の第１の実施形態に係る回路基板４０の配線パターン及び部品の実装状態の一例を説明するための図である。
【図４】本発明の第１の実施形態に係る回路基板４０と積層バスバー３０との部分断面図である。
【図５】本発明の第１の実施形態に係る電子制御ユニットの回路構成を説明するための回路図である。
【図６】本発明の一実施形態に係る電子制御ユニットの動作を説明するフローチャートである。
【図７】本発明の第２の実施形態に係る電子制御ユニットの回路構成を説明するための回路図である。
【図８】本発明の第３の実施形態に係る電子制御ユニットの回路構成を説明するための回路図である。
【図９】従来例による回路基板の配線パターン及び部品の実装状態を説明するための図である。
【符号の説明】
１　　　　　　ＭＰＵ（制御回路部）
１ａ，１ｂ　　　　　　ポート
２　　　　　　信号配線パターン（配線パターン）
３　　　　　　電源パターン
４　　　　　　グラウンドパターン
５　　　　　　抵抗
６　　　　　　基材部
７　　　　　　レジスト
８　　　　　　プルアップ抵抗
９　　　　　　プルダウン抵抗
１０　　　　ロアケース
２０　　　　アッパーケース
３０　　　　積層バスバー（外部接続基板）
３１　　　　タブ端子（接続端子部）
３１ａ　　電源端子（機種電源端子）
３１ｂ　　グラウンド端子（機種グラウンド端子）
３１ｃ　　電源端子
３１ｄ　　グラウンド端子
３１ｅ　　制御端子
３２　　　　コネクタ端子
４０　　　　回路基板
４１　　　　スルーホール（接続受部）
４１ａ　　プルアップ用スルーホール（接続受部）
４１ｂ　　プルダウン用スルーホール（接続受部）
４１ｃ　　電源用スルーホール
４１ｄ　　グラウンド用スルーホール
４１ｅ　　制御信号用スルーホール
４２　　　　半田
４３　　　　電源パターン
５０　　　　ケース部
【図１】
2004103301.tif 000003
【図２】
2004103301.tif 000004
【図３】
2004103301.tif 000005
【図４】
2004103301.tif 000006
【図５】
2004103301.tif 000007
【図６】
2004103301.tif 000008
【図７】
2004103301.tif 000009
【図８】
2004103301.tif 000010
【図９】
2004103301.tif 000011